【事件の表示】
　特願２０１０−　４７７２８「測位装置」拒絶査定不服審判事件〔平成２３年　９月２２日出願公開、特開２０１１−１８５６０３〕について、次のとおり審決する。
【結　論】
　本件審判の請求は、成り立たない。
【理　由】
第１　手続の経緯
　本願は、平成２２年３月４日の出願であって、平成２５年５月９日付けで明細書及び特許請求の範囲についての補正（以下、「補正１」という。）がなされ、平成２５年９月２７日付けで拒絶査定がなされ（送達：同年１０月１日）、これに対し、同年１２月２６日に拒絶査定不服審判が請求されたものである。
　
　
第２　本願発明
　本願の請求項１ないし５に係る発明は、補正１によって補正された明細書、特許請求の範囲及び図面の記載からみて、その特許請求の範囲の請求項１ないし５に記載された事項により特定されるとおりのものと認められるところ、その請求項１に係る発明は、次のとおりである。
　
「単一の局部発振器を備え、ＧＰＳ衛星から衛星信号を受信し前記単一の局部発振器が発振する発振周波数で衛星信号を復調して測位するＧＰＳ機能、および、ＧＬＯＮＡＳＳ衛星から衛星信号を受信し前記単一の局部発振器が発振する発振周波数で衛星信号を復調して測位するＧＬＯＮＡＳＳ機能が構成された測位装置であって、
　測位された位置情報、ＧＰＳ衛星の衛星信号から得られる衛星位置情報、ＧＰＳ衛星の速度ベクトルに基いて前記局部発振器のオフセット周波数を算出し当該オフセット周波数に基いてＧＬＯＮＡＳＳ衛星信号を捕捉して動作させ前記ＧＰＳ機能および前記ＧＬＯＮＡＳＳ機能により測位する測位演算部を備えたことを特徴とする測位装置。」（以下、「本願発明」という。）
　
　
第３　原査定の拒絶の理由 
　原査定の拒絶の理由は、概略、請求項１ないし５に係る発明は、いずれも、この出願前に頒布された刊行物である特開平７−１２８４２３号公報（以下、「引用例１」という。）、特開平５−２８１３３０号公報（以下、「引用例２」という。）等に記載された発明に基づいて、当業者が容易に発明をすることができた、というものである。
　
　
第４　引用例に記載の事項・引用発明・技術事項
１　引用例１について
（１）記載事項
　原査定の拒絶の理由に引用された引用例１には、「ＧＰＳ／ＧＬＯＮＡＳＳ共用受信装置」（発明の名称）に関し、次の事項（ａ）及び（ｂ）が図面とともに記載されている。なお、下線は当審が付した。
　
（ａ）
「【００２１】
【実施例】以下、本発明の好適な実施例について図面に基づき説明する。
【００２２】図１及び図２には、本発明の一実施例に係る受信装置の構成が示されている。この装置は、アンテナ部１、ダウンコンバータ部２及び信号処理部３から構成されている。
【００２３】この受信装置は、ＧＰＳとＧＬＯＮＡＳＳに共用される受信装置である。すなわち、
ＧＰＳ衛星から送信されるＧＰＳ信号及びＧＬＯＮＡＳＳ衛星から送信されるＧＬＯＮＡＳＳ信号を、共に測位演算に用いることが可能な受信装置
【００２４】
ＧＰＳ及びＧＬＯＮＡＳＳでは、
衛星からの信号を受信した受信装置は、受信信号をＲＦからＩＦへ、ＩＦからベースバンドへと周波数変換した上で、衛星からの搬送波（キャリア）及びスペクトル拡散変調に用いられたＰＮコードを捕捉し、信号を復調する。受信装置は、復調した信号等を用いて、衛星までの距離（ただし、オフセットを含むため擬似距離と呼ばれる）及び衛星の位置を求める。
演算により、受信装置の位置
を、求める
【００２５】ＧＰＳ衛星から送信されるＧＰＳ信号とＧＬＯＮＡＳＳ衛星から送信されるＧＬＯＮＡＳＳ信号の主な相違は、第１に、その搬送周波数（キャリアの周波数）にある。第２に、ＰＮコードにある。
【００２６】まず、ＧＰＳ衛星からの搬送周波数は、いずれのＧＰＳ衛星についても、Ｌバンドに属する１５７５．４２ＭＨｚであり、ＧＰＳ信号のスペクトルはチップ率１．０２３ＭＨｚのスペクトル拡散変調によってこの周波数近傍の約２ＭＨｚに拡がる。ＧＰＳにおけるＰＮコードは、各ＧＰＳ衛星に固有であり、ＧＰＳ受信装置の側では、衛星に応じたＰＮコードを発生させ、これを用いてスペクトル逆拡散し、信号を復調する。
【００２７】これに対し、ＧＬＯＮＡＳＳ衛星からの搬送周波数は、Ｌバンドに属する１６０２．５６２５ＭＨｚ〜１６０８．７５ＭＨｚであり、各衛星毎に搬送周波数が異なっている。ただし、地球から見て互いに逆側にあるＧＬＯＮＡＳＳ衛星には同一の搬送周波数が割り当てられるから、ＧＬＯＮＡＳＳにおいては１６０２．５６２５ＭＨｚ〜１６０８．７５ＭＨｚの帯域に属する１２個の周波数（チャネル）が、衛星からの信号の送信に使用されることになる。また、ＧＬＯＮＡＳＳにおけるＰＮコードは、いずれのＧＬＯＮＡＳＳ衛星についても同一である。ＧＬＯＮＡＳＳにおけるチップ率は０．５１１Ｍｚ、スペクトル拡散されたＧＬＯＮＡＳＳ信号の帯域幅は約１ＭＨｚである。ＧＬＯＮＡＳＳ受信装置の側では、衛星に応じた周波数を発生させ、これを用いてキャリアを捕捉し、各衛星共通のＰＮコードを用いてスペクトル逆拡散を行う。」
　
（ｂ）
「【００２９】図１においては、アンテナ部１がアンテナ１０１及び低雑音増幅器（以下、ＬＮＡという）１０２から構成されている。アンテナ１０１は、ＧＰＳ衛星又はＧＬＯＮＡＳＳ衛星から送信されるＧＰＳ信号及びＧＬＯＮＡＳＳ信号を受信する。ＬＮＡ１０２は、アンテナ１０１の受信信号を低雑音増幅する。増幅された受信信号はダウンコンバータ部２に入力される。
【００３０】ダウンコンバータ部２に入力された受信信号は、バンドパスフィルタ（以下、ＢＰＦという）によって帯域瀘波される。このＢＰＦ２０１は例えば誘電体共振器等で構成されており、その通過帯域は、ＧＰＳ信号及びＧＬＯＮＡＳＳ信号を共に通過させるべく、１５７５．４２ＭＨｚ〜１６０８．７５ＭＨｚを含む帯域に設定されている。このＢＰＦ２０１を通過した後の受信信号のスペクトル、すなわち図１のＡ点での信号スペクトルは、図４に示されるような分布となる。
【００３１】
ダウンコンバータ部２は、さらに、イメージ除去ミキサ２０２及び局部発振器２０３を備えている。
この発振により得られた局部発振信号は、例えば図３に示されるような構成を有するイメージ除去ミキサ２０２によって、受信信号Ａと混合される。
【００３２】図３に示されるイメージ除去ミキサ２０２は、基本波ミキシングに係る構成である。このイメージ除去ミキサ２０２は、ＲＦハイブリッド２０２ａ、ミキサ２０２ｂ及び２０２ｃ並びにＩＦハイブリッド２０２ｄから構成されている。ＢＰＦ２０１から供給される信号、すなわちＲＦの受信信号Ａは、ＲＦハイブリッド２０２ａに入力される。ＲＦハイブリッド２０２ａの出力信号のうち一方はミキサ２０２ｂに、他方はミキサ２０２ｃに供給される。ミキサ２０２ｂ及び２０２ｃにおいては、局部発振信号と、ＲＦハイブリッド２０２ａからの信号とが混合される。混合の結果得られる２種類の信号は、ＩＦハイブリッド２０２ｄに入力される。ＲＦハイブリッド２０２ａとしては、周知の構成を使用できる（例えば、電子情報通信学会編、「通信用マイクロ波回路」、１９８９年、第５８〜５９頁参照）。ＩＦハイブリッド２０２ｄとしては、周波数が低いため集中定数型の周知の構成を使用できる（例えば、「集中定数型方向性結合器の設計図表」、池田、木田、テレビジョン学会誌、１９７６年、第３０巻第６号、ｐ４８２、図１を参照）。
【００３３】ここで、局部発振信号の周波数は、ＧＰＳ信号の搬送周波数１５７５．４２ＭＨｚと、ＧＬＯＮＡＳＳ信号の搬送周波数１５７５．４２ＭＨｚ〜１６０８．７５ＭＨｚとが、局部発振信号の周波数から見て互いに影像（イメージ）の関係になるよう設定されている。すなわち、（局部発振信号の周波数）−（ＧＰＳ信号の搬送周波数）＝（ＧＬＯＮＡＳＳ信号の搬送周波数）−（局部発振信号の周波数）という関係が、概ね成り立つよう、局部発振信号の周波数が設定されている。従って、ＩＦハイブリッド２０２ｄの２個の出力のうち一方は、局部発振信号から見てＵＳＢであるＧＬＯＮＡＳＳ信号となり、他方はＬＳＢであるＧＰＳ信号となる。これは、局部発振信号を基準とした場合に影像関係にある２種類の周波数成分（ＧＬＯＮＡＳＳ信号及びＧＰＳ信号）が、ＩＦハイブリッド２０２ａ及び２０２ｄにより、互いに他の干渉を排除しながら、すなわちイメージを除去しながら、独立して分離されたことを意味している。また、ミキサ２０２ｂ及び２０２ｃにおいて
周波数変換が行われている
それぞれＩＦ信号（第１ＩＦ信号）となっている。
　
・上記記載（ａ）及び（ｂ）並びに図１より、局部発振器は１つであるから、
ア　「単一の局部発振器２０３を備える」との技術的事項が読み取れる。
　
・上記記載（ａ）（段落【００２３】）及び図１より、
イ　「ＧＰＳ衛星から送信されるＧＰＳ信号及びＧＬＯＮＡＳＳ衛星から送信されるＧＬＯＮＡＳＳ信号を、共に測位演算に用いることが可能な受信装置」との技術的事項が読み取れる。 
　
・上記記載（ａ）（段落【００２４】）及び図１より、「受信装置」が求める「受信装置の位置」は自位置であるといえるから、
ウ　「ＧＰＳ衛星及びＧＬＯＮＡＳＳ衛星からの信号を受信し、それぞれの受信信号をＲＦからＩＦへ、ＩＦからベースバンドへと周波数変換した上で、衛星からの搬送波及びスペクトル拡散変調に用いられたＰＮコードを捕捉し、信号を復調し、復調した信号等を用いて、衛星までの距離及び衛星の位置を求め、演算により自位置を求める受信装置」との技術的事項が読み取れる。
　
・上記記載（ａ）及び（ｂ）並びに図１より、局部発振器２０３が発振する局部発振信号がイメージ除去ミキサ２０２に入力され、受信されたＧＰＳ信号及びＧＬＯＮＡＳＳ信号がＩＦ信号へ周波数変換されているから、
エ　「単一の局部発振器２０３が発振する局部発振信号で受信信号からＩＦ信号への周波数変換が行われる」との技術的事項が読み取れる。
　
（２）引用発明
　以上の技術的事項アないしエを総合勘案すると、引用例１には次の発明が記載されているものと認められる。
　
「単一の局部発振器２０３を備え、ＧＰＳ衛星から送信されるＧＰＳ信号及びＧＬＯＮＡＳＳ衛星から送信されるＧＬＯＮＡＳＳ信号を、共に測位演算に用いることが可能であり、ＧＰＳ衛星及びＧＬＯＮＡＳＳ衛星からの信号を受信し、それぞれの受信信号をＲＦからＩＦへ、ＩＦからベースバンドへと周波数変換した上で、衛星からの搬送波及びスペクトル拡散変調に用いられたＰＮコードを捕捉し、信号を復調し、復調した信号等を用いて、衛星までの距離及び衛星の位置を求め、演算により自位置を求め、前記単一の局部発振器２０３が発振する局部発振信号で受信信号からＩＦ信号への周波数変換が行われる、受信装置。」（以下、「引用発明」という。）
　
２　引用例２について
（１）記載事項
　原査定の拒絶の理由に引用された引用例２には、次の事項（ａ）及び（ｂ）が図面とともに記載されている。なお、下線は当審が付した。
　
（ａ）
「【０００９】本発明は前記事情に基づきなされたもので、その目的とするところは、低精度の発振器を用いた場合でも、測位に必要な複数の衛星の捕捉時間を全体として短縮することのできるＧＰＳ受信機の衛星電波捕捉方法を提供することである。
【００１０】
【課題を解決するための手段】前記目的を達成するため、本発明は、それぞれの捕捉衛星毎にサーチ中心周波数を設定し、該設定したサーチ中心周波数を始点として発振器の発振周波数を上下に振りながら目的とする衛星の電波を捕捉するようにしたＧＰＳ受信機の衛星電波捕捉方法において、最初に捕捉した衛星の実際の受信周波数から当該衛星のドップラー周波数偏位を差し引くことにより
ＧＰＳ受信機の発振器のオフセット値を算出し
算出されたオフセット値を用いてサーチ中心周波数を設定し直す
　
（ｂ）
「【００１１】
【作  用】図３は、本発明の衛星電波捕捉方法のための発振器のオフセット値の算出方法の説明図である。いま、ＧＰＳ信号の基準受信周波数をｆ０（１５７５．４２ＭＨｚ）、最初に捕捉された衛星の実際の受信周波数をｆｒ、捕捉された最初の衛星のドップラー周波数偏位をΔｆｄ、ＧＰＳ受信機の発振器のオフセット値をΔｆｏｓｃとすると、これら三者の関係は図に示すようなものとなる。
【００１２】この図３から明らかなように、
発振器の正確なオフセット値Δｆｏｓｃは、実際の受信周波数ｆｒから当該捕捉衛星のドップラー周波数偏位Δｆｄを差し引くことにより
Δｆｏｓｃ ＝ｆｒ−Δｆｄ−ｆ０
として求めることができる
【００１３】上式中、
ドップラー周波数偏位Δｆｄは、衛星の軌道データとＧＰＳ受信機の現在値データとから計算により求めることができる。衛星の軌道データとしては、前回の即位時に得られたアルマナック情報などを利用することができ、また、ＧＰＳ受信機の現在地データとしては、極めて大まかな値でよいから、これも前回の測位時に得られた測位結果を利用することができる
【００１４】したがって、上式から発振器の正確なオフセット値Δｆｏｓｃが算出されたら、それ以降の各衛星のサーチ中心周波数ｆｓについては、下式によって設定し直せばよい。
ｆｓ＝ｆ０＋Δｆｄ＋Δｆｏｓｃ
ただし、
ｆ０   ：基準受信周波数（１５７５．４２ ＭＨｚ）
Δｆｄ ：捕捉すべき衛星のドップラー周波数偏位
【００１５】このようにして、最初の衛星が捕捉された時点で、得られた発振器のオフセット値Δｆｏｓｃを用いて各衛星のサーチ中心周波数ｆｓを設定し直すと、正確なオフセット値を用いているため、それぞれの衛星のサーチ中心周波数ｆｓはそれぞれの衛星の実際の受信周波数ｆｒに極めて近い値に設定されるようになる。したがって、
短時間のうちに各衛星を捕捉することができ、
　
・オフセット値は周波数値であることを踏まえると、上記記載（ｂ）（段落【００１２】、【００１３】）より、
ア　「衛星の軌道データとＧＰＳ受信機の現在地データとから、ドップラー周波数偏位Δｆｄを計算により求め、ＧＰＳ受信機の発振器のオフセット周波数値Δｆｏｓｃを求める」との事項が読み取れる。
　なお、段落【００１３】に記載の「現在値データ」は、「現在地データ」の誤記であると認める。
　
・上記記載（ａ）及び（ｂ）並びに図１ないし３より、
イ　「算出したオフセット周波数値Δｆｏｓｃを用いてサーチ中心周波数を設定し直してから、ＧＰＳ衛星を捕捉する」との技術的事項が読み取れる。
　
（２）技術事項
　以上の技術的事項ア及びイを総合勘案すると、引用例２には次の技術事項が記載されているものと認められる。
　
「衛星の軌道データとＧＰＳ受信機の現在地データとから、ドップラー周波数偏位Δｆｄを計算により求め、ＧＰＳ受信機の発振器のオフセット周波数値Δｆｏｓｃを求め、算出したオフセット周波数値Δｆｏｓｃを用いてサーチ中心周波数を設定し直してから、ＧＰＳ衛星を捕捉する。」（以下、「技術事項」という。）
　
　
第５　対比
　本願発明と引用発明とを対比する。
　
１　引用発明においては、「ＧＰＳ衛星‥‥‥からの信号を受信し、‥‥‥受信信号をＲＦからＩＦへ、ＩＦからベースバンドへと周波数変換した上で、衛星からの搬送波及びスペクトル拡散変調に用いられたＰＮコードを捕捉し、信号を復調し、‥‥‥単一の局部発振器２０３が発振する局部発振信号で受信信号からＩＦ信号への周波数変換が行われる」から、単一の局部発振器が発振する発振周波数で衛星信号であるＧＰＳ信号を復調しているといえる。また、「衛星までの距離及び衛星の位置を求め、演算により自位置を求め」ることは、測位することであるといえる。
　また、引用発明においては、「ＧＬＯＮＡＳＳ衛星からの信号を受信し、‥‥‥受信信号をＲＦからＩＦへ、ＩＦからベースバンドへと周波数変換した上で、衛星からの搬送波及びスペクトル拡散変調に用いられたＰＮコードを捕捉し、信号を復調し、‥‥‥前記単一の局部発振器２０３が発振する局部発振信号で受信信号からＩＦ信号への周波数変換が行われる」から、単一の局部発振器が発振する発振周波数で衛星信号であるＧＬＯＮＡＳＳ信号を復調しているといえる。また、「衛星までの距離及び衛星の位置を求め、演算により自位置を求め」ることは、測位することであるといえる。
　そうすると、引用発明における「ＧＰＳ衛星及びＧＬＯＮＡＳＳ衛星からの信号を受信し、それぞれの受信信号をＲＦからＩＦへ、ＩＦからベースバンドへと周波数変換した上で、衛星からの搬送波及びスペクトル拡散変調に用いられたＰＮコードを捕捉し、信号を復調し、復調した信号等を用いて、衛星までの距離及び衛星の位置を求め、演算により自位置を求め、前記単一の局部発振器２０３が発振する局部発振信号で受信信号からＩＦ信号への周波数変換が行われる」ことは、本願発明における「ＧＰＳ衛星から衛星信号を受信し前記単一の局部発振器が発振する発振周波数で衛星信号を復調して測位するＧＰＳ機能、および、ＧＬＯＮＡＳＳ衛星から衛星信号を受信し前記単一の局部発振器が発振する発振周波数で衛星信号を復調して測位するＧＬＯＮＡＳＳ機能」に相当する。
　
２　引用発明は、「ＧＰＳ衛星から送信されるＧＰＳ信号及びＧＬＯＮＡＳＳ衛星から送信されるＧＬＯＮＡＳＳ信号を、共に測位演算に用いることが可能」な「受信装置」であり、測位演算を行うことから測位演算部を備えるものといえる。
　また、ＧＰＳ信号及びＧＬＯＮＡＳＳ信号を用いて測位演算動作を行うためには、「ＧＰＳ衛星及びＧＬＯＮＡＳＳ衛星からの信号を受信し、それぞれの受信信号をＲＦからＩＦへ、ＩＦからベースバンドへと周波数変換した上で、衛星からの搬送波及びスペクトル拡散変調に用いられたＰＮコードを捕捉」することが必要であり、また、このような「捕捉」は、ＧＬＯＮＡＳＳ衛星に着目すれば、「ＧＬＯＮＡＳＳ衛星の信号の捕捉」と捉えることができるから、引用発明は、「ＧＬＯＮＡＳＳ衛星の信号を捕捉して動作させＧＰＳ信号及びＧＬＯＮＡＳＳ信号により測位する測位演算部」を備えるものといえる。
　そして、「ＧＰＳ信号及びＧＬＯＮＡＳＳ信号により測位する」ことは、「ＧＰＳ機能およびＧＬＯＮＡＳＳ機能により測位する」ことといえるから、引用発明と、本願発明の「測位された位置情報、ＧＰＳ衛星の衛星信号から得られる衛星位置情報、ＧＰＳ衛星の速度ベクトルに基いて前記局部発振器のオフセット周波数を算出し当該オフセット周波数に基いてＧＬＯＮＡＳＳ衛星信号を捕捉して動作させ前記ＧＰＳ機能および前記ＧＬＯＮＡＳＳ機能により測位する測位演算部」とは、「ＧＬＯＮＡＳＳ衛星信号を捕捉して動作させ前記ＧＰＳ機能および前記ＧＬＯＮＡＳＳ機能により測位する測位演算部」を備える点で共通する。
　
３　引用発明の「受信装置」は「測位演算」により「自位置を求め」るものであるから、測位装置であるといえる。
　そうすると、引用発明における「受信装置」は、本願発明における「測位装置」に相当する。
　
４　以上の関係を踏まえると、両者の一致点、相違点は、以下のとおりである。
（一致点）
「単一の局部発振器を備え、ＧＰＳ衛星から衛星信号を受信し前記単一の局部発振器が発振する発振周波数で衛星信号を復調して測位するＧＰＳ機能、および、ＧＬＯＮＡＳＳ衛星から衛星信号を受信し前記単一の局部発振器が発振する発振周波数で衛星信号を復調して測位するＧＬＯＮＡＳＳ機能が構成された測位装置であって、
　ＧＬＯＮＡＳＳ衛星信号を捕捉して動作させ前記ＧＰＳ機能および前記ＧＬＯＮＡＳＳ機能により測位する測位演算部を備える測位装置。」 
　
（相違点）
　「測位演算部」について、本願発明では、「測位された位置情報、ＧＰＳ衛星の衛星信号から得られる衛星位置情報、ＧＰＳ衛星の速度ベクトルに基いて前記局部発振器のオフセット周波数を算出」するのに対し、引用発明は、そのような特定がない点。
　
　
第６　当審の判断
　上記相違点について検討する。
　
１　引用例２に記載された技術事項を再掲する（上記「第４　引用例に記載の事項・引用発明・技術事項」２（２））。
「衛星の軌道データとＧＰＳ受信機の現在地データとから、ドップラー周波数偏位Δｆｄを計算により求め、ＧＰＳ受信機の発振器のオフセット周波数値Δｆｏｓｃを求め、算出したオフセット周波数値Δｆｏｓｃを用いてサーチ中心周波数を設定し直してから、ＧＰＳ衛星を捕捉する。」
　
２　上記の技術事項を踏まえて、以下、検討する。
　まず、技術事項における「ＧＰＳ受信機の現在地データ」は、引用例２の「ＧＰＳ受信機の現在地データとしては、極めて大まかな値でよいから、これも前回の測位時に得られた測位結果を利用することができる」（段落【００１３】）との記載から、「測位された位置情報」であるといえるし、また、ドップラー周波数偏位Δｆｄを計算するには、ＧＰＳ受信機の現在地データのほかに、ＧＰＳ衛星の位置情報とＧＰＳ衛星の速度ベクトルが必要であること（例えば、特開２００７−２４８１０９号公報の段落【００５３】〜【００６０】、図１０を参照のこと。）、及び、ＧＰＳ衛星の位置情報が衛星信号から得られることは、技術常識である。
　ここで、引用発明は「ＧＰＳ衛星及びＧＬＯＮＡＳＳ衛星からの信号を受信し、」「単一の局部発振器２０３が発振する局部発振信号で受信信号からＩＦ信号への周波数変換が行われる、受信装置」であって、ＧＰＳ衛星からの信号、及びＧＬＯＮＡＳＳ衛星からの信号は、ともに局部発振信号を用いて周波数変換を行うものであり、また、一般に、局部発振において局部発振周波数を正確なものにしようとすることは、当業者が普通に考慮する事項であるから、「ＧＰＳ衛星からの信号を局部発振信号を用いて周波数変換を行う」引用発明に、前記技術事項を適用して、測位された位置情報、ＧＰＳ衛星の衛星信号から得られる衛星位置情報、ＧＰＳ衛星の速度ベクトルに基いて局部発振器のオフセット周波数を算出するようにすることは、当業者が容易になし得る事項である。
　そして、「単一の局部発振器２０３」は、ＧＬＯＮＡＳＳ衛星からの信号の捕捉動作にも用いられることから、ＧＬＯＮＡＳＳ衛星からの信号の捕捉動作においても算出したオフセット周波数に基いて行うようにすることは、当業者であれば適宜なし得ることである。
　また、本願発明の奏する作用効果は、引用発明及び技術事項から当業者が予測可能なものであって、格別なものではない。 
　
　
第７　むすび
　以上のとおり、本願発明は、引用発明及び技術事項に基づいて当業者が容易に発明をすることができたものであるから、特許法第２９条第２項の規定により特許を受けることができない。
　したがって、本願の他の請求項に係る発明について審理するまでもなく、本願は拒絶すべきものである。
　よって、結論のとおり審決する。